(57)【要約】【課題】ＵＳＢプラグが如何なる方向に寄せられたとしても検知ピンとプラグシェルとの安定した接触状態を維持することのできるＵＳＢレセプタクルを提供すること。【解決手段】検知ピン５０に対して、ＵＳＢプラグとＵＳＢレセプタクルとの嵌合時にプラグシェルの一部を挟み込むための第１接触部５４と第２接触部６０とを設ける。第１接触部５４と第２接触部６０とは、Ｙ方向におけるＵＳＢレセプタクルの中心から第１接触部５２までの距離をａとし、同中心から第２接触部６０までの距離をｂとし、ＵＳＢ規格に準拠した標準ＵＳＢプラグの標準シェルの板厚をＴとしたとき、不等式（ｂ−ａ）＜Ｔを満たしている。【選択図】図１０
2015204139.tif 000002
【特許請求の範囲】
【請求項１】
ＵＳＢプラグと嵌合方向に沿って嵌合可能なＵＳＢ（Universal Serial Bus）レセプタクルであって、
前記ＵＳＢプラグは、プラグシェルを有しており、
前記ＵＳＢレセプタクルは、複数のコンタクトと、絶縁体からなる保持部材と、導電体からなるシェルと、前記シェルとは別体の導電体からなる検知ピンとを備えており、
前記保持部材は、前記嵌合方向と直交するピッチ方向に並ぶように、前記コンタクトを保持しており、
前記シェルは、前記嵌合方向及び前記ピッチ方向の双方と直交する所定方向と前記ピッチ方向とで規定される面内において前記保持部材を少なくとも部分的に囲っており、
前記検知ピンは、弾性変形可能な材料からなり、前記シェルに対して直接接触しないように前記保持部材に保持されており、
前記検知ピンは、第１支持部と、第２支持部と、第１接触部と、第２接触部とを有しており、
前記第１支持部は、前記第１接触部を支持しており、
前記第２支持部は、前記嵌合方向と直交する直交方向において前記第１支持部よりも外側に位置しており、且つ、前記第２接触部を支持しており、
前記第１接触部及び前記第２接触部は、夫々、前記嵌合方向と前記直交方向とで規定される所定面内において移動可能であり、
前記第１接触部と前記第２接触部とは、前記ＵＳＢプラグと前記ＵＳＢレセプタクルとの嵌合時に前記プラグシェルの一部を挟み込むものであり、前記直交方向における前記ＵＳＢレセプタクルの中心から前記第１接触部までの距離をａとし、前記中心から前記第２接触部までの距離をｂとし、ＵＳＢ規格に準拠した標準ＵＳＢプラグの標準シェルの板厚をＴとしたとき、不等式（ｂ−ａ）＜Ｔを満たしている
ＵＳＢレセプタクル。
【請求項２】
請求項１記載のＵＳＢレセプタクルであって、
前記ＵＳＢレセプタクルは、前記標準ＵＳＢプラグ又はカスタムＵＳＢプラグと選択的に嵌合可能なものであり、
前記ＵＳＢプラグは、前記カスタムＵＳＢプラグであり、
前記カスタムＵＳＢプラグは、前記プラグシェルとして、前記嵌合方向において前記標準シェルよりも少なくとも部分的に長いカスタムシェルを備えており、
前記第１接触部及び前記第２接触部は、前記ＵＳＢレセプタクルを前記標準ＵＳＢプラグと嵌合した際には前記標準シェルが到達しない位置であって、前記ＵＳＢレセプタクルを前記カスタムＵＳＢプラグと嵌合した際には前記カスタムシェルが到達する位置に設けられている
ＵＳＢレセプタクル。
【請求項３】
請求項１又は請求項２記載のＵＳＢレセプタクルであって、
前記第１接触部と前記第２接触部とは前記直交方向において対向している
ＵＳＢレセプタクル。
【請求項４】
請求項１乃至請求項３のいずれかに記載のＵＳＢレセプタクルであって、
前記直交方向は、前記ピッチ方向である
ＵＳＢレセプタクル。
【請求項５】
請求項１乃至請求項４のいずれかに記載のＵＳＢレセプタクルであって、
前記不等式において（ｂ−ａ）は正の値を有している
ＵＳＢレセプタクル。
【請求項６】
請求項１乃至請求項５のいずれかに記載のＵＳＢレセプタクルであって、
前記検知ピンは、前記第１支持部と前記第２支持部とを連結する連結部を更に有している
ＵＳＢレセプタクル。
【請求項７】
請求項６記載のＵＳＢレセプタクルであって、
前記検知ピンは、前記第１支持部から延びる基部を更に有しており、
前記基部には、前記保持部材に保持される被保持部が設けられている
ＵＳＢレセプタクル。
【請求項８】
請求項１乃至請求項７のいずれかに記載のＵＳＢレセプタクルであって、
前記第１接触部は、前記ＵＳＢプラグと前記ＵＳＢレセプタクルとの未嵌合状態において、前記シェル内に位置しており、
前記シェルには、前記所定平面内における前記第２接触部の移動を許容するための開口部が形成されている
ＵＳＢレセプタクル。
【請求項９】
請求項１乃至請求項８のいずれかに記載のＵＳＢレセプタクルであって、
前記検知ピンは、前記第１接触部から前記嵌合方向と交差するように延びる第１誘い部と、前記第２接触部から前記嵌合方向と交差するように延びる第２誘い部とを更に有しており、
前記保持部材には、内側ガイド部が設けられており、
前記シェルには、前記直交方向において前記内側ガイド部よりも外側に位置する外側ガイド部が設けられており、
前記第１誘い部の先端は、前記直交方向において、前記内側ガイド部よりも内側に位置しており、
前記第１接触部及び前記第２接触部は、前記直交方向において、前記外側ガイド部と前記内側ガイド部との間に位置しており、
前記第２誘い部の先端は、前記直交方向において、前記外側ガイド部よりも外側に位置している
ＵＳＢレセプタクル。
【発明の詳細な説明】
【技術分野】
【０００１】
本発明は、検知ピンを備えるＵＳＢ（Universal Serial Bus）レセプタクルに関する。
【背景技術】
【０００２】
図２１及び図２２に示されるように、特許文献１は、検知ピンを備えるＵＳＢレセプタクルを開示している。図２２に示されるように、特許文献１のＵＳＢレセプタクルは、複数のコンタクトと、コンタクトを保持する保持部材と、保持部材を部分的に覆うシェルとを備えている。検知ピンは、ＵＳＢレセプタクルの右側においてシェルと接触しないように保持部材に保持されている。
【先行技術文献】
【特許文献】
【０００３】
【特許文献１】実用新案登録第３１７２１８８号公報
【発明の概要】
【発明が解決しようとする課題】
【０００４】
特許文献１のＵＳＢレセプタクルがＵＳＢプラグと嵌合している際に、ＵＳＢプラグを左側に寄せると検知ピンとＵＳＢプラグのプラグシェルとの接触が弱くなる。ＵＳＢプラグの移動量によっては、検知ピンがプラグシェルから離れてしまう可能性もある。
【０００５】
そこで、本発明は、ＵＳＢプラグが如何なる方向に寄せられたとしても検知ピンとプラグシェルとの安定した接触状態を維持することのできるＵＳＢレセプタクルを提供することを目的とする。
【課題を解決するための手段】
【０００６】
本発明は、第１のＵＳＢレセプタクルとして、
ＵＳＢプラグと嵌合方向に沿って嵌合可能なＵＳＢ（Universal Serial Bus）レセプタクルであって、
前記ＵＳＢプラグは、プラグシェルを有しており、
前記ＵＳＢレセプタクルは、複数のコンタクトと、絶縁体からなる保持部材と、導電体からなるシェルと、前記シェルとは別体の導電体からなる検知ピンとを備えており、
前記保持部材は、前記嵌合方向と直交するピッチ方向に並ぶように、前記コンタクトを保持しており、
前記シェルは、前記嵌合方向及び前記ピッチ方向の双方と直交する所定方向と前記ピッチ方向とで規定される面内において前記保持部材を少なくとも部分的に囲っており、
前記検知ピンは、弾性変形可能な材料からなり、前記シェルに対して直接接触しないように前記保持部材に保持されており、
前記検知ピンは、第１支持部と、第２支持部と、第１接触部と、第２接触部とを有しており、
前記第１支持部は、前記第１接触部を支持しており、
前記第２支持部は、前記嵌合方向と直交する直交方向において前記第１支持部よりも外側に位置しており、且つ、前記第２接触部を支持しており、
前記第１接触部及び前記第２接触部は、夫々、前記嵌合方向と前記直交方向とで規定される所定面内において移動可能であり、
前記第１接触部と前記第２接触部とは、前記ＵＳＢプラグと前記ＵＳＢレセプタクルとの嵌合時に前記プラグシェルの一部を挟み込むものであり、前記直交方向における前記ＵＳＢレセプタクルの中心から前記第１接触部までの距離をａとし、前記中心から前記第２接触部までの距離をｂとし、ＵＳＢ規格に準拠した標準ＵＳＢプラグの標準シェルの板厚をＴとしたとき、不等式（ｂ−ａ）＜Ｔを満たしている
ＵＳＢレセプタクルを提供する。
【０００７】
また、本発明は、第２のＵＳＢレセプタクルとして、第１のＵＳＢレセプタクルであって、
前記ＵＳＢレセプタクルは、前記標準ＵＳＢプラグ又はカスタムＵＳＢプラグと選択的に嵌合可能なものであり、
前記ＵＳＢプラグは、前記カスタムＵＳＢプラグであり、
前記カスタムＵＳＢプラグは、前記プラグシェルとして、前記嵌合方向において前記標準シェルよりも少なくとも部分的に長いカスタムシェルを備えており、
前記第１接触部及び前記第２接触部は、前記ＵＳＢレセプタクルを前記標準ＵＳＢプラグと嵌合した際には前記標準シェルが到達しない位置であって、前記ＵＳＢレセプタクルを前記カスタムＵＳＢプラグと嵌合した際には前記カスタムシェルが到達する位置に設けられている
ＵＳＢレセプタクルを提供する。
【０００８】
また、本発明は、第３のＵＳＢレセプタクルとして、第１又は第２のＵＳＢレセプタクルであって、
前記第１接触部と前記第２接触部とは前記直交方向において対向している
ＵＳＢレセプタクルを提供する。
【０００９】
また、本発明は、第４のＵＳＢレセプタクルとして、第１乃至第３のいずれかのＵＳＢレセプタクルであって、
前記直交方向は、前記ピッチ方向である
ＵＳＢレセプタクルを提供する。
【００１０】
また、本発明は、第５のＵＳＢレセプタクルとして、第１乃至第４のいずれかのＵＳＢレセプタクルであって、
前記不等式において（ｂ−ａ）は正の値を有している
ＵＳＢレセプタクルを提供する。
【００１１】
また、本発明は、第６のＵＳＢレセプタクルとして、第１乃至第５のいずれかのＵＳＢレセプタクルであって、
前記検知ピンは、前記第１支持部と前記第２支持部とを連結する連結部を更に有している
ＵＳＢレセプタクルを提供する。
【００１２】
また、本発明は、第７のＵＳＢレセプタクルとして、第６のＵＳＢレセプタクルであって、
前記検知ピンは、前記第１支持部から延びる基部を更に有しており、
前記基部には、前記保持部材に保持される被保持部が設けられている
ＵＳＢレセプタクルを提供する。
【００１３】
また、本発明は、第８のＵＳＢレセプタクルとして、第１乃至第７のいずれかのＵＳＢレセプタクルであって、
前記第１接触部は、前記ＵＳＢプラグと前記ＵＳＢレセプタクルとの未嵌合状態において、前記シェル内に位置しており、
前記シェルには、前記所定平面内における前記第２接触部の移動を許容するための開口部が形成されている
ＵＳＢレセプタクルを提供する。
【００１４】
また、本発明は、第９のＵＳＢレセプタクルとして、第１乃至第８のいずれかのＵＳＢレセプタクルであって、
前記検知ピンは、前記第１接触部から前記嵌合方向と交差するように延びる第１誘い部と、前記第２接触部から前記嵌合方向と交差するように延びる第２誘い部とを更に有しており、
前記保持部材には、内側ガイド部が設けられており、
前記シェルには、前記直交方向において前記内側ガイド部よりも外側に位置する外側ガイド部が設けられており、
前記第１誘い部の先端は、前記直交方向において、前記内側ガイド部よりも内側に位置しており、
前記第１接触部及び前記第２接触部は、前記直交方向において、前記外側ガイド部と前記内側ガイド部との間に位置しており、
前記第２誘い部の先端は、前記直交方向において、前記外側ガイド部よりも外側に位置している
ＵＳＢレセプタクルを提供する。
【発明の効果】
【００１５】
第１接触部と第２接触部とでプラグシェルの一部を挟み込むこととしているため、如何なる方向に寄せたとしても、第１接触部と第２接触部の一方が少なくともプラグシェルと接触する。従って、検知ピンとプラグシェルとの安定した接触状態を維持することができ、ＵＳＢプラグの挿入検知を適切に行うことができる。
【００１６】
カスタムＵＳＢプラグのカスタムシェルのみが到達できる位置であって標準ＵＳＢプラグの標準シェルが到達できない位置に第１接触部と第２接触部を設けることとした場合には、カスタムＵＳＢプラグが挿入されたのか標準ＵＳＢプラグが挿入されたのかを判別することができる。
【図面の簡単な説明】
【００１７】
【図１】本発明の実施の形態によるＵＳＢレセプタクル、標準ＵＳＢプラグ及びカスタムＵＳＢプラグ（ＵＳＢプラグ）を示す斜視図である。
【図２】図１の標準ＵＳＢプラグを示す斜視図である。
【図３】図２の標準ＵＳＢプラグを部分的に切り欠いて示す上面図である。
【図４】図１のカスタムＵＳＢプラグを示す斜視図である。
【図５】図４のカスタムＵＳＢプラグを部分的に切り欠いて示す上面図である。
【図６】図１のＵＳＢレセプタクルを示す斜視図である。
【図７】図６のＵＳＢレセプタクルを示す正面図である。
【図８】図７のＵＳＢレセプタクルの一部を示す拡大図である。
【図９】図７のＵＳＢレセプタクルをIX--IX線に沿って示す断面図である。
【図１０】図９のＵＳＢレセプタクルの一部を示す拡大図である。
【図１１】図６のＵＳＢレセプタクルからシェルを除いた構造を示す斜視図である。
【図１２】図１１の構造を示す他の斜視図である。
【図１３】図１１の構造を示す他の斜視図である。ここで、検知ピンは保持部材に未だ保持されていない。
【図１４】図１３の検知ピンを示す斜視図である。
【図１５】図１４の検知ピンを示す正面図である。
【図１６】図１４の検知ピンを示す上面図である。
【図１７】図１のＵＳＢレセプタクルとカスタムＵＳＢプラグを示す断面図である。ＵＳＢレセプタクルとカスタムＵＳＢプラグは未嵌合状態にある。
【図１８】図１のＵＳＢレセプタクルとカスタムＵＳＢプラグを示す断面図である。ＵＳＢレセプタクルとカスタムＵＳＢプラグは嵌合状態にある。
【図１９】図１８のＵＳＢレセプタクルとカスタムＵＳＢプラグの一部を示す拡大図である。
【図２０】図１８のＵＳＢレセプタクルとカスタムＵＳＢプラグの一部を示す他の拡大図である。図示されたカスタムＵＳＢプラグは＋Ｙ側に寄っている。
【図２１】特許文献１のＵＳＢレセプタクルを示す斜視図である。
【図２２】図２１のＵＳＢレセプタクルを示す分解斜視図である。
【発明を実施するための形態】
【００１８】
図１を参照すると、本発明の実施の形態によるＵＳＢ（Universal Serial Bus）レセプタクル１０は、基板３００に固定されると共に、嵌合方向（Ｘ方向）に沿って、標準ＵＳＢプラグ１００又はカスタムＵＳＢプラグ（ＵＳＢプラグ）２００と選択的に嵌合可能なものである。ここで、標準ＵＳＢプラグ１００は、ＵＳＢ規格に準拠したものであり、カスタムＵＳＢプラグ２００は、標準ＵＳＢプラグ１００とは異なるものである。特に、図１に示されるように、本実施の形態のＵＳＢレセプタクル１０は、基板３００に形成された凹部内に配置される、いわゆる落とし込みタイプのものである。但し、本発明はこれに限定されるわけではなく、例えば、ＵＳＢレセプタクルは、基板３００の主面上に搭載固定されるものであってもよい。
【００１９】
図２及び図３に示されるように、標準ＵＳＢプラグ１００は、ＵＳＢ規格に準拠した標準シェル１１０と、プラグインシュレータ１２０と、プラグコンタクト１３０とを備えている。標準シェル１１０は、規定の板厚を有する金属板を折り曲げ加工して形成されるものであり、プラグインシュレータ１２０を覆っている。プラグインシュレータ１２０は、板状の絶縁体であり、プラグコンタクト１３０を保持している。図２及び図３から理解されるように、標準シェル１１０の端面とプラグインシュレータ１２０の端面とは、ほぼ一致している。
【００２０】
図４及び図５から理解されるように、カスタムＵＳＢプラグ２００は、標準シェル１１０と同材料からなるカスタムシェル（プラグシェル）２１０と、プラグインシュレータ１２０と、プラグコンタクト１３０とを備えている。即ち、カスタムＵＳＢプラグ２００は、カスタムシェル２１０を除き，標準ＵＳＢプラグ１００と同じ構成を備えている。カスタムシェル２１０は、嵌合方向において標準シェル１１０よりも長い。そのため、プラグインシュレータ１２０の端面は、カスタムシェル２１０の端面よりも嵌合方向の奥側（−Ｘ側）に位置している。
【００２１】
図６、図１１及び図１２から理解されるように、ＵＳＢレセプタクル１０は、導電体からなる複数のコンタクト１２及びコンタクト１４と、絶縁体からなる保持部材２０と、導電体からなるシェル４０と、シェル４０とは別体の導電体からなる２つの検知ピン５０とを備えている。
【００２２】
図７並びに図１１乃至図１３に示されるように、コンタクト１２は、ＵＳＢ２．０用のものであり、４本ある。コンタクト１４は、ＵＳＢ３．０用のものであり、５本ある。
【００２３】
図１１乃至図１３に示されるように、保持部材２０は、板状の前部２２と、ブロック状の後部３０とを有している。保持部材２０は、嵌合方向と直交するピッチ方向（Ｙ方向）に並ぶように、コンタクト１２，１４を保持している。詳しくは、コンタクト１２は、後部３０に圧入保持されている。コンタクト１４は、インサート成型法により、保持部材２０の成型時に保持部材２０内に組み込まれている。図８乃至図１０から理解されるように、前部２２のピッチ方向の側面は、標準シェル１１０（図３参照）やカスタムシェル２１０（図５参照）の挿入をガイドする内側ガイド部２４として機能する。即ち、本実施の形態の保持部材２０には、内側ガイド部２４が設けられている。
【００２４】
図６及び図７に示されるように、シェル４０は、嵌合方向及びピッチ方向の双方と直交する所定方向（Ｚ方向）とピッチ方向とで規定される面内（ＹＺ面内）において保持部材２０を少なくとも部分的に囲っている。図８乃至図１０から理解されるように、本実施の形態のシェル４０の側部４２の内面は、標準シェル１１０（図３参照）やカスタムシェル２１０（図５参照）の挿入をガイドする外側ガイド部４４として機能する。本実施の形態の外側ガイド部４４は、嵌合方向と直交する直交方向において内側ガイド部２４よりも外側に位置している。図８乃至図１０から理解されるように、本実施の形態において、直交方向は、ピッチ方向（即ち、Ｙ方向）である。図９及び図１０に示されるように、シェル４０の側部４２には、開口部４６が形成されている。
【００２５】
本実施の形態の検知ピン５０は、弾性変形可能な材料からなる。図９及び図１０に示されるように、検知ピン５０は、シェル４０に対して直接接触しないように保持部材２０に保持されている。図９に示されるように、２つの検知ピン５０は、嵌合方向奥側（＋Ｘ側）であってピッチ方向両側に位置している。
【００２６】
図１１乃至図１３から理解されるように、２つの検知ピン５０は、互いに他方の鏡像である構造を有している。図９に示されるように、検知ピン５０は、ピッチ方向の中心を通り且つピッチ方向と直交する面に対して、互いに対称となるように配置されている。
【００２７】
図１４を参照すると、右側（＋Ｙ側）の検知ピン５０が示されている。図１４に示されるように、検知ピン５０は、第１支持部５２と、第１接触部５４と、第１誘い部５６と、第２支持部５８と、第２接触部６０と、第２誘い部６２と、基部６４と、連結部６８と、接続部７０とを有している。左側（−Ｙ側）の検知ピン５０は、図１４の検知ピン５０の鏡像となる構造、即ち、ＸＺ平面に対して対称な構造を有している。
【００２８】
図１４及び図１６に示されるように、第１支持部５２は、短いアーム状であり、第１接触部５４を支持している。同様に、第２支持部５８は、短いアーム状であり、第２接触部６０を支持している。本実施の形態の第２支持部５８は、嵌合方向と直交する直交方向において第１支持部５２よりも外側に位置している。図１０から明らかなように、本実施の形態において、直交方向は、ピッチ方向（即ちＹ方向）である。
【００２９】
図８及び図１０に示されるように、本実施の形態の第１接触部５４は、ピッチ方向において第２接触部６０よりも内側に位置している。即ち、図１４乃至図１６に示されるように、本実施の形態においては、第１支持部５２から第１接触部５４までの部位と第２支持部５８から第２接触部６０までの部位とは交差していない。また、図８及び図１５に示されるように、第１接触部５４と第２接触部６０とはピッチ方向において対向している。特に、図１０から理解されるように、第１接触部５４及び第２接触部６０は、カスタムＵＳＢプラグ２００とＵＳＢレセプタクル１０との未嵌合状態において、シェル４０内に位置している。
【００３０】
図１４及び図１６から理解されるように、基部６４は、第１支持部５２から延びている。基部６４には、保持部材２０（図１１参照）に保持される被保持部６６が設けられている。基部６４及び第１支持部５２は、被保持部６６を起点とすると共に弾性変形可能な第１バネ部として機能する。換言すると、第１接触部５４は、第１支持部５２を含む第１バネ部に支持されている。
【００３１】
図１４及び図１６に示されるように、連結部６８は、第１支持部５２と第２支持部５８とを連結している。詳しくは、図１５から理解されるように、連結部６８は、嵌合方向と直交する面内（ＹＺ平面内）においてＵ字状の断面を有している。また、図１６に示されるように、連結部６８は、第１支持部５２と基部６４との境界（即ち、第１支持部５２の＋Ｘ側端部）と第２支持部５８の一端（＋Ｘ側端部）とを連結している。連結部６８と第２支持部５８は、弾性変形可能な第２バネ部として機能する。換言すると、第２接触部６０は、第２支持部５８を含む第２バネ部に支持されている。
【００３２】
図１４及び図１５に示されるように、接続部７０は、基部６４から延びている。接続部７０は、ＵＳＢレセプタクル１０を基板３００に固定した状態において（図１参照）、基板３００の孔（図示せず）に対して挿入され基板３００に半田付けされる部位である。
【００３３】
上述した第１バネ部（第１支持部５２及び基部６４）及び第２バネ部（第２支持部５８及び連結部６８）の機能により、第１接触部５４及び第２接触部６０は、夫々、嵌合方向とピッチ方向とで規定される所定面内（ＸＹ平面内）において移動可能である。ここで、上述したように、シェル４０の側部４２には開口部４６が形成されていることから（図１０参照）、第２接触部６０の所定平面内における移動は制限されない。即ち、開口部４６は、第２接触部６０の所定平面内における移動を許容している。
【００３４】
特に、図１４から理解されるように、本実施の形態においては、第１バネ部（第１支持部５２及び基部６４）の途中から第２バネ部（第２支持部５８及び連結部６８）が延びている。このため、第２接触部６０の移動は、第２バネ部及び第１バネ部を介して第１接触部５４の移動にも影響を与えており、逆に、第１接触部５４の移動は、第１バネ部及び第２バネ部を介して第２接触部６０の移動にも影響を与えている。
【００３５】
図１７乃至図１９から理解されるように、第１接触部５４と第２接触部６０とは、カスタムＵＳＢプラグ２００とＵＳＢレセプタクル１０との嵌合時にカスタムシェル２１０の一部を挟み込むものである。そのため、第１接触部５４と第２接触部６０の間のピッチ方向における距離は、標準シェル１１０（図３参照）の板厚をＴとしたとき、板厚Ｔよりも狭い。換言すると、第１接触部５４と第２接触部６０とは、ピッチ方向におけるＵＳＢレセプタクル１０の中心から第１接触部５４までの距離をａとし、その中心から第２接触部６０までの距離をｂとしたとき、不等式（ｂ−ａ）＜Ｔを満たしている。上述したように、本実施の形態においては、第１接触部５４がピッチ方向において第２接触部６０よりも内側に位置していることから、差（ｂ−ａ）は常に正であるが、本発明はこれに限定されない。例えば、カスタムシェル２１０の一部を挟み込むことができるのであれば、第１接触部５４は第２接触部６０よりもピッチ方向において外側に位置していてもよい。即ち、第１支持部５２から第１接触部５４までの部位と第２支持部５８から第２接触部６０までの部位とが交差していてもよい。その場合、上記不等式において、差（ｂ−ａ）は負の値を有する。板厚Ｔは常に正の値を有していることから、差（ｂ−ａ）が負の値を有しているときであっても、不等式（ｂ−ａ）＜Ｔは必ず満たされている。更に、カスタムシェル２１０の一部を挟み込むことができるのであれば、カスタムシェル２１０の未挿入時において、第１接触部５４は第２接触部６０と接していてもよい。即ち、上記不等式において、差（ｂ−ａ）は零となる。この場合も、板厚Ｔが常に正の値を有していることから、上掲の不等式（ｂ−ａ）＜Ｔは必ず満たされる。
【００３６】
特に、図１９においてプラグインシュレータ１２０が第１接触部５４及び第２接触部６０に到達していないことから理解されるように、本実施の形態の第１接触部５４及び第２接触部６０は、ＵＳＢレセプタクル１０を標準ＵＳＢプラグ１００（図２及び図３参照）と嵌合した際には標準シェル１１０（図２及び図３参照）が到達しない位置であって、ＵＳＢレセプタクル１０をカスタムＵＳＢプラグ２００（図１９参照）と嵌合した際にはカスタムシェル２１０（図１９参照）が到達する位置に設けられている。このため、カスタムシェル２１０は第１接触部５４及び第２接触部６０に対して接触可能であるが、標準シェル１１０は第１接触部５４及び第２接触部６０に接触できない。これにより、検知ピン５０により、挿入されたプラグが標準ＵＳＢプラグ１００であるのかカスタムＵＳＢプラグ２００であるのかを検知することができる。
【００３７】
また、第１接触部５４と第２接触部６０とでカスタムシェル２１０を挟み込むこととしていることから、図２０に示されるように、カスタムＵＳＢプラグ２００をピッチ方向の一方に寄せたとしても第１接触部５４と第２接触部６０の少なくとも一方がカスタムシェル２１０に必ず接触する。従って、本実施の形態によれば、カスタムシェル２１０の検知ピン５０に対する接触信頼性を確保することができる。
【００３８】
加えて、本実施の形態において、第１接触部５４の移動は、第１バネ部及び第２バネ部を介して第２接触部６０の移動にも影響を与えており、逆に、第２接触部６０の移動は、第２バネ部及び第１バネ部を介して第１接触部５４の移動にも影響を与えている。そのため、図２０に示されるように、カスタムＵＳＢプラグ２００をピッチ方向の一方に寄せた際に、カスタムシェル２１０の移動に第１接触部５４及び第２接触部６０の双方が追従することができる。このように、本実施の形態によれば、更に高い接触信頼性を確保することができる。
【００３９】
図１６に示されるように、第１誘い部５６は、第１接触部５４から嵌合方向と交差するように延びている。同様に、第２誘い部６２は、第２接触部６０から嵌合方向と交差するように延びている。図８及び図１０から理解されるように、第１誘い部５６の先端は、直交方向において、内側ガイド部２４よりも内側に位置している。第１接触部５４及び第２接触部６０は、直交方向において、外側ガイド部４４と内側ガイド部２４との間に位置している。図１０から理解されるように、第２誘い部６２の先端は、直交方向において、外側ガイド部４４よりも外側に位置している。このように配置された第１誘い部５６及び第２誘い部６２により、カスタムＵＳＢプラグ２００とＵＳＢレセプタクル１０との嵌合時にカスタムシェル２１０が検知ピン５０を座屈させてしまうことを防ぐことができる（図１９参照）。
【００４０】
上述した実施の形態において、本実施の形態のカスタムシェル２１０は、標準シェル１１０よりも全体的に長く構成されているが、本発明はこれに限定されるわけではない。カスタムシェル２１０は、第１接触部５４と第２接触部６０に挟まれる部位を有している限り、変形可能である。即ち、カスタムシェル２１０は、嵌合方向において標準シェル１１０よりも少なくとも部分的に長いものであればよい。
【００４１】
上述した実施の形態において直交方向はピッチ方向であったが、本発明はこれに限定されるものではない。例えば、直交方向は、例えば所定方向のように、嵌合方向と直交する方向であってピッチ方向以外の方向であってもよい。
【００４２】
上述した実施の形態において、検知ピン５０は２つ設けられていたが、本発明はこれに限定されるわけではない。ＵＳＢレセプタクル１０は１つのみの検知ピン５０を備えていてもよい。
【００４３】
上述した実施の形態において、連結部６８は、第１バネ部（第１支持部５２及び基部６４）の途中に第２支持部５８を連結していたが、本発明はこれに限定されるわけではない。例えば、連結部６８は、第１バネ部の端部（＋Ｘ側端部）と第２支持部５８のみからなる第２バネ部の端部（＋Ｘ側端部）とを連結してもよい。但し、第１接触部５４の移動と第２接触部６０の移動を連動させるためには、第１バネ部の途中から第２バネ部が延びていることが望ましい。即ち、連結部６８は、第１バネ部の途中を第２支持部５８と連結することが望ましい。
【００４４】
上述した実施の形態において、第１支持部５２と第２支持部５８とは連結部６８により連結されていたが、本発明はこれに限定されるわけではない。第１支持部５２と第２支持部５８とは別々の部品の一部として形成されていてもよい。但し、その場合、例えばＵＳＢレセプタクル１０を搭載する基板３００上にて第１支持部５２と第２支持部５８とが少なくとも電気的に接続されていることが必要である。
【００４５】
上述した実施の形態においては、２つの検知ピン５０を用いて１種類のカスタムＵＳＢプラグ２００の挿入を検知していたが、本発明はこれに限定されるわけではない。例えば、２つの検知ピン５０を互いに独立して検知に用いることにより、３種類の異なる形状を有するカスタムシェル２１０の挿入検知を行うことも可能である。
【００４６】
上述した実施の形態においてＵＳＢプラグはカスタムＵＳＢプラグ２００であったが、ＵＳＢプラグは、標準ＵＳＢプラグ１００及びカスタムＵＳＢプラグ２００の双方であってもよい。即ち、ＵＳＢレセプタクル１０に対して標準ＵＳＢプラグ１００及びカスタムＵＳＢプラグ２００のいずれかが挿入されたか否かを検知するために検知ピン５０が用いられることとしてもよい。
【００４７】
また、ＵＳＢレセプタクル１０は標準ＵＳＢプラグ１００又はカスタムＵＳＢプラグ２００と選択的に嵌合可能なものであったが、例えば、標準ＵＳＢプラグ１００のみと嵌合するものであってもよい。その場合、ＵＳＢプラグは、標準ＵＳＢプラグ１００のみとなる。即ち、第１接触部５４と第２接触部６０とは、プラグシェルとしての標準シェル１１０と接触可能なように配置され、これにより検知ピン５０は標準ＵＳＢプラグ１００の挿入検知用として用いられる。
【符号の説明】
【００４８】
１０        ＵＳＢレセプタクル
１２        コンタクト
１４        コンタクト
２０        保持部材
２２        前部
２４        内側ガイド部
３０        後部
４０        シェル
４２        側部
４４        外側ガイド部
４６        開口部
５０        検知ピン
５２        第１支持部
５４        第１接触部
５６        第１誘い部
５８        第２支持部
６０        第２接触部
６２        第２誘い部
６４        基部
６６        被保持部
６８        連結部
７０        接続部
１００        標準ＵＳＢプラグ
１１０        標準シェル
１２０        プラグインシュレータ
１３０        プラグコンタクト
２００        カスタムＵＳＢプラグ（ＵＳＢプラグ）
２１０        カスタムシェル（プラグシェル）
３００        基板
【図１】
2015204139.tif 000003
【図２】
2015204139.tif 000004
【図３】
2015204139.tif 000005
【図４】
2015204139.tif 000006
【図５】
2015204139.tif 000007
【図６】
2015204139.tif 000008
【図７】
2015204139.tif 000009
【図８】
2015204139.tif 000010
【図９】
2015204139.tif 000011
【図１０】
2015204139.tif 000012
【図１１】
2015204139.tif 000013
【図１２】
2015204139.tif 000014
【図１３】
2015204139.tif 000015
【図１４】
2015204139.tif 000016
【図１５】
2015204139.tif 000017
【図１６】
2015204139.tif 000018
【図１７】
2015204139.tif 000019
【図１８】
2015204139.tif 000020
【図１９】
2015204139.tif 000021
【図２０】
2015204139.tif 000022
【図２１】
2015204139.tif 000023
【図２２】
2015204139.tif 000024